(57)【要約】【課題】天井パネルの落下を防止した野縁取付金具を提供する。【解決手段】天井スラブから吊下げ保持された野縁受部材と、野縁受部材の下部に固定された野縁部材と、当該野縁部材の下部に設置された天井パネルとを備えた天井構造において、野縁部材に取り付けられる野縁取付金具12であって、前記野縁取付金具12は、野縁部材の長手方向に沿って形成された溝部に係止可能な第１の係止部15及び第２の係止部17と、螺子部材を介して野縁取付金具12を野縁部材に固定する固定部24と、野縁部材と所定部を連結する連結手段を接続する螺子孔27とを備えている。【選択図】図１
2015017383.tif 000002
【特許請求の範囲】
【請求項１】
天井から吊下げ保持された野縁受部材と、
当該野縁受部材の下部に固定された野縁部材と、
当該野縁部材の下部に設置された天井パネルとを備えた天井構造において、前記野縁部材に取り付けられる野縁取付金具であって、
前記野縁取付金具は、
前記野縁部材の長手方向に沿って形成された溝部に係止可能な係止部と、
螺子部材を介して前記野縁取付金具を前記野縁部材に固定する固定部と、
前記野縁部材と所定部を連結する連結手段を接続する接続部とを備えたことを特徴とする野縁取付金具。
【請求項２】
前記接続部を、前記連結手段に設けた雄螺子部と螺着可能な雌螺子部とすることを特徴とする請求項１記載の野縁取付金具。
【請求項３】
前記係止部に前記野縁部材の縁部に嵌合可能な嵌合部を備えたことを特徴とする請求項１記載の野縁取付金具。
【発明の詳細な説明】
【技術分野】
【０００１】
本発明は、野縁部材に取り付けられる野縁取付金具に関する。
【背景技術】
【０００２】
従来から、天井から吊下げ保持された野縁受部材と、野縁受部材の下部に野縁固定金具を介して固定された野縁部材と、野縁部材の下部に設置された天井パネルとを備えた天井構造がある（特許文献１）。
【先行技術文献】
【特許文献】
【０００３】
【特許文献１】特開昭６１−１１７３５０号公報
【発明の概要】
【発明が解決しようとする課題】
【０００４】
前記特許文献１に記載の天井構造では、地震等の揺れによって野縁部材と野縁受部材との接続箇所が破損してしまうと、野縁部材とともに天井パネルが落下してしまうという問題点があった。
【０００５】
そこで、本発明は、野縁部材の落下を防止する野縁取付金具を提供することを目的とする。
【課題を解決するための手段】
【０００６】
請求項１の発明の野縁取付金具は、天井から吊下げ保持された野縁受部材と、当該野縁受部材の下部に固定された野縁部材と、当該野縁部材の下部に設置された天井パネルとを備えた天井構造において、前記野縁部材に取り付けられる野縁取付金具であって、前記野縁取付金具は、前記野縁部材の長手方向に沿って形成された溝部に取付可能な野縁取付部と、前記野縁部材と所定部を連結する連結手段を接続する接続部とを備えたことを特徴とする。
【０００７】
請求項２の発明の野縁取付金具は、前記接続部を、前記連結手段に設けた雄螺子部と螺着可能な雌螺子部とすることを特徴とする。
【０００８】
請求項３の発明の野縁取付金具は、前記係止部に前記野縁部材の縁部と嵌合可能な嵌合部を備えたことを特徴とする。
【発明の効果】
【０００９】
請求項１の発明によれば、地震等の揺れによって、野縁部材が天井から落下しそうになったとしても、野縁部材の落下を防ぐことができる。また、係止部を野縁部材の溝部に係止するため野縁取付金具の取り付けを容易にすることができる。さらに、固定部において螺子部材を介して野縁部材と野縁取付金具とを固定することで、野縁部材と野縁取付金具との固定を強固なものとすることができる。
【００１０】
請求項２の発明によれば、連結手段による野縁取付金具と所定部との連結作業を容易にすることができる。
【００１１】
請求項３の発明によれば、野縁取付金具と野縁部材との係合状態を安定化させることができる。
【図面の簡単な説明】
【００１２】
【図１】本発明の実施例１における野縁取付金具の斜視図である。
【図２】同上、野縁取付金具の平面図である。
【図３】同上、野縁取付金具の底面図である。
【図４】同上、野縁取付金具の正面図である。
【図５】同上、野縁取付金具の側面図である。
【図６】同上、野縁取付金具を第１の野縁部材に取り付けた状態を示す断面図である。
【図７】同上、野縁取付金具を第２の野縁部材に取り付けた状態を示す断面図である。
【図８】同上、野縁取付金具を第１の野縁部材を取り付けた使用状態を示す斜視図である。
【図９】同上、野縁取付金具を第２の野縁部材を取り付けた使用状態を示す斜視図である。
【図１０】同上、野縁取付金具を第２の野縁部材に取り付けた別の使用状態を示す断面図である。
【図１１】同上、天井構造の一例を示す斜視図である。
【図１２】本発明の実施例２における野縁取付金具の斜視図である。
【図１３】同上、野縁取付金具の平面図である。
【図１４】同上、野縁取付金具の底面図である。
【図１５】同上、野縁取付金具の正面図である。
【図１６】同上、野縁取付金具の側面図である。
【図１７】同上、野縁取付金具を第１の野縁部材に取り付けた状態を示す断面図である。
【図１８】同上、野縁取付金具を第２の野縁部材に取り付けた状態を示す断面図である。
【図１９】同上、野縁取付金具を第１の野縁部材を取り付けた使用状態を示す斜視図である。
【図２０】同上、野縁取付金具を第２の野縁部材を取り付けた使用状態を示す斜視図である。
【発明を実施するための形態】
【００１３】
以下、本発明における実施の形態について、添付図面を参照しながら説明する。
【実施例１】
【００１４】
図１〜図１１は本発明の実施例１を示すものであり、本実施例の天井構造としては、図１１に示すように、それぞれ長手方向に沿って第１の溝部１及び第２の溝部２が形成された断面略Ｃ形状の形鋼からなる複数の第１の野縁部材３及び第２の野縁部材４と、天井スラブ（図示せず）より垂設されて吊下げられた吊下げ部材としての吊りボルト６に金属板を略Ｓ型形状に折り曲げ形成された周知のハンガー７を介して接続された断面略Ｃ形状の形鋼からなる野縁受部材８とを、周知のクリップなどの野縁固定金具９を介して互いに直交させて一体化して、各野縁部材３、４の下面に石膏ボード、コンパネ等の板材からなる天井パネル10が取付可能な格子体11を構成するものである。
【００１５】
本実施例では、長手方向（図中、Ｘ方向）と水平方向に直交する方向である短手方向（図中、Ｙ方向）の幅Ｈ１,Ｈ２の異なる２種類の野縁部材として、幅を大きく設定された幅広な第１の野縁部材３と、幅を小さく設定された幅狭な第２の野縁部材４を用いる。ここで、第１の野縁部材３の幅Ｈ１は、第２の野縁部材４の幅Ｈ２の約２倍の大きさに設定されている。第１の野縁部材３及び第２の野縁部材４のどちらを用いるかは、格子体11の下面部に取り付けられる天井パネル10の重量に応じて適宜変更可能とする。
【００１６】
本実施例の野縁取付金具12は、第１の野縁部材３及び第２の野縁部材４に取り付けられるものである。ここで、野縁取付金具12における、方形状に形成されたステンレス鋼、アルミニウム等の金属製の薄板からなる金具本体13の下部には、第１の野縁部材３の第１の溝部１の断面略Ｊ型に形成された第１の縁部14と係合可能な第１の係止部15と、第２の野縁部材４の第２の溝部２の断面略Ｊ型に形成された第２の縁部16と係合可能な第２の係止部17が設けられている。
【００１７】
第１の係止部15は、金具本体13の対向する一対の端部18、18より下向きに略平行に立ち上げられ、第１の野縁部材３の第１の溝部１に挿入可能な一対の第１の立ち上げ部19、19に対して、各第１の立ち上げ部19の先端を互いの距離が離れるよう外側に折り曲げて断面略Ｊ型に形成されたものである。第１の係止部15が、第１の縁部14の内面に長手方向（図中、Ｘ方向）に沿って係合可能に設けられたことにより、第１の野縁部材３を第１の溝部１に沿ってスライド自在に保持可能に設けられている。
【００１８】
第２の係止部17は、金具本体13の一対の端部18,18と直交する一対の端部20、20より下向きに略平行に立ち上げられ、且つ第１の立ち上げ部19,19間の間隔Ｍ１より幅狭な間隔Ｍ２に形成され、第２の溝部３に挿入可能な一対の第２の立ち上げ部21,21に対して、各第２の立ち上げ部21,21の先端を互いの距離が離れるよう外側に折り曲げて断面略Ｊ型に形成されたものである。第２の係止部17が、第２の縁部16の内面に長手方向（図中、Ｘ方向）に沿って係合可能に設けられたことにより、第２の野縁部材４を第２の溝部２に沿ってスライド自在に保持可能に設けられている。
【００１９】
また、金具本体13には、一対の端部18、18から第１の立ち上げ部19、19、第１の係止部15、15へとかけて第２の縁部16の幅Ｈ３以上の間隔Ｍ３に切り欠いて形成された一対の嵌合部22がそれぞれ設けられている。
【００２０】
さらに、一対の端部18、18のそれぞれ外端部分には、外向きに突設された突片部23を備えている。この突片部23の先端を下向きに折り曲げて形成された固定部24には、螺子部材25が挿通可能な取付孔26が形成されている。
【００２１】
また、金具本体13の中央部分には、接続部としての螺子孔27が形成されている。この螺子孔27に接続可能な連結手段としてのワイヤー部材28は、一方に螺子孔27に螺合可能な雄螺子部としてのボルト29と、他方に環状部30を備えている。尚、接続部としては、ボルト29が挿通可能な貫通部にボルト29が螺合可能なナットを連通して備えたものとしてもよい（不図示）。
【００２２】
次に、上記構成についてその作用を説明する。野縁取付金具12の第１の立ち上げ部19を第１の野縁部材３の第１の溝部１に挿入して、第１の係止部15を第１の縁部14の内面に第１の野縁部材３の長手方向（図中、Ｘ方向）に沿って係合させて、第１の野縁部材３を第１の溝部１に沿ってスライド自在に保持する。そして、螺子部材25を介して固定部24と第１の野縁部材３の側面部とが固定されることで、野縁取付金具12と第１の野縁部材３は強固に固定される。そして、このように組み立てられた第１の野縁部材３の下面部には天井パネル10が取り付けられる。
【００２３】
第２の野縁部材４を利用する場合は、野縁取付金具12の第２の立ち上げ部21を第２の野縁部材４の第２の溝部２に挿入して、第２の係止部17を第２の縁部16の内面に第２の野縁部材４の長手方向（図中、Ｘ方向）に沿って係合させて、第２の野縁部材４を第２の溝部２に沿ってスライド自在に保持することで、第２の係止部17と第２の縁部16の内面との接触面積を増大させて、第２の係止部17と第２の縁部16の接触部分にガタが生じる恐れを防止して、野縁取付金具12と第２の野縁部材４との係合状態を安定化させることができる。そして、このように組み立てられた第２の野縁部材４の下面部には天井パネル10が取り付けられる。また、第２の縁部16の上部には嵌合部22が外嵌され、第２の縁部16の４箇所に嵌合部22が嵌合することで野縁取付金具12と第２の野縁部材４との係合状態を安定化させることができる。
【００２４】
次に、前述の通りに組み立てられた野縁取付金具12の螺子孔27に、環状部30側が吊りボルト６や野縁受部材８等に固定されたワイヤー部材28のボルト29が螺合され、野縁取付金具12を介して各野縁部材３、４と吊りボルト６や野縁受部材８等が連結される。
【００２５】
このように、ワイヤー部材28を介して野縁部材３、４と吊りボルト６や野縁受部材８等を連結したことによって、地震等の揺れによってクリップなどの野縁固定金具９が破損して、各野縁部材３、４が落下しそうになったとしても、各野縁部材３、４は野縁取付金具12及びワイヤー部材28を介して吊りボルト６や野縁受部材８等に吊下げ保持された状態となり、各野縁部材３、４の落下を防止することができる。尚、本実施例では、各野縁部材３、４に対して複数の野縁取付部材12を取り付けて、各野縁部材３、４を複数のワイヤー部材28を介して吊りボルト６や野縁受部材８等に連結することが好ましい。
【００２６】
また、図１０に示すように、ボルト29の軸部29Ａの長さＬを少なくとも各野縁部材３、４の深さＤ以上とし、その軸部29Ａの先端が各野縁部材３、４の底面部に当接するまでボルト29を螺子孔27に螺合させた状態から、さらにボルト29を取付方向に回転させて締め込み、野縁取付金具12を各野縁部材３、４に対して相対的に上昇させると、第１の係止部15又は第２の係止部17が第１の縁部14又は第２の縁部16の内側面に押し付けられて、第１の係止部15又は第２の係止部17と第１の縁部14又は第２の縁部16との係合状態が強固なものとなり、野縁取付金具12のガタつきを防止することができる。
【００２７】
以上のように本実施例では、天井スラブから吊下げ保持された野縁受部材８と、当該野縁受部材８の下部に固定された野縁部材３、４と、当該野縁部材３、４の下部に設置された天井パネル10とを備えた天井構造において、前記野縁部材３、４に取り付けられる野縁取付金具12であって、前記野縁取付金具12は、前記野縁部材３、４の長手方向に沿って形成された第１の溝部１及び第２の溝部２に係止可能な第１の係止部15及び第２の係止部17と、螺子部材25を介して前記野縁取付金具12を前記野縁部材３、４に固定する固定部24と、前記野縁部材３、４と所定部として吊りボルト６や野縁受部材８等を連結する連結手段としてのワイヤー部材28を接続する接続部としての螺子孔27とを備えている。
【００２８】
この場合、地震等の揺れによって、各野縁部材３、４が天井から落下しそうになったとしても、各野縁部材３、４の落下を防ぐことができる。また、第１の係止部15及び第２の係止部17を各野縁部材３、４の第１の溝部１及び第２の溝部２に係止するため野縁取付金具12の取り付けを容易にすることができる。さらに、固定部24において螺子部材25を介して各野縁部材３、４と野縁取付金具12とを固定することで、各野縁部材３、４と野縁取付金具12との固定を強固なものとすることができる。このように、各野縁部材３、４と野縁取付金具12との固定を強固なものとすることで、各野縁部材３、４が傾斜して設置された斜め天井などにおいて野縁取付金具12が第１の溝部１及び第２の溝部２に沿って滑ることを防止する。また、天井パネル10やその他の設備等の重量により天井の重量が大きい場合においても、ワイヤー部材28を介して各野縁部材３、４を吊下げ保持する際に野縁取付金具12にかかる荷重に対応して野縁取付金具12が各野縁部材３、４から離脱することを防止して、各野縁部材３、４の落下を防ぐことができる。さらに、天井スラブと天井パネル10との間に様々な設備が存在して、これら設備や吊りボルト６等が障害となり各野縁部材３、４に取り付ける野縁取付金具12の個数を減らす場合においても、ワイヤー部材28を介して各野縁部材３、４を吊下げ保持する際に野縁取付金具12にかかる荷重に対応して野縁取付金具12が各野縁部材３、４から離脱することを防止して、各野縁部材３、４の落下を防ぐことができる。
【００２９】
また、前記接続部を、前記ワイヤー部材28に設けた雄螺子部としてのボルト29と螺着可能な雌螺子部である螺子孔27とすることで、ワイヤー部材28による野縁取付金具12と所定部との連結作業を容易にすることができる。
【００３０】
さらに、前記第２の係止部12に第２の野縁部材４の第２の縁部16と嵌合可能な嵌合部22を備えたことにより、野縁取付金具12と第２の野縁部材５との係合状態を安定化させることができる。
【実施例２】
【００３１】
図１２〜図２０は本発明の実施例２を示すものである。同図において、図１〜図１１と同一部分には同一符号を付し、その共通する部分の詳細な説明は省略する。本実施例では、一対の端部20、20を介して対向する各突片部23の固定部24側と反対側同士を連結する連結部31を設けている。
【００３２】
このように、連結部31によって各突片部23が連結されていることで、野縁取付金具12の強度が向上する。これにより、野縁取付金具12のねじれを防止して、野縁取付金具12と各野縁部材３、４との係合状態を安定化させることができる。
【００３３】
本発明は上記実施例に限定されるものではなく、本発明の要旨の範囲内において種々の変形実施が可能である。
【符号の説明】
【００３４】
１  第１の溝部
２  第２の溝部
３  第１の野縁部材
４  第２の野縁部材
８  野縁受部材
10  天井パネル
12  野縁取付金具
15  第１の係止部
17  第２の係止部
22  嵌合部
24  固定部
25  螺子部材
27  螺子孔（接続部）
28  ワイヤー部材（連結手段）
29  ボルト（雄螺子部）
【図１】
2015017383.tif 000003
【図２】
2015017383.tif 000004
【図３】
2015017383.tif 000005
【図４】
2015017383.tif 000006
【図５】
2015017383.tif 000007
【図６】
2015017383.tif 000008
【図７】
2015017383.tif 000009
【図８】
2015017383.tif 000010
【図９】
2015017383.tif 000011
【図１０】
2015017383.tif 000012
【図１１】
2015017383.tif 000013
【図１２】
2015017383.tif 000014
【図１３】
2015017383.tif 000015
【図１４】
2015017383.tif 000016
【図１５】
2015017383.tif 000017
【図１６】
2015017383.tif 000018
【図１７】
2015017383.tif 000019
【図１８】
2015017383.tif 000020
【図１９】
2015017383.tif 000021
【図２０】
2015017383.tif 000022